(57)【特許請求の範囲】
【請求項１】
牽引車の運転席に設置され、牽引車に牽引される作業機を遠隔操作する操作ボックス２と、運転席の操作盤に固定され、前記操作ボックス２を支持する支持部材９からなる作業機用コントローラ装置であって、前記支持部材９はプレートの前側縁辺１０に係合フック１２を形成するとともに、後部の左右両側に一体に立ち上げた支持プレート１３に前記係合フック１２を支点とする角度変位固定用の円弧状案内溝１４を形成してなり、前記操作ボックス２は複数の操作部材３を露出させた操作面２ａを、これら操作部材３群の凹凸に対応する凹凸面６を一体に有する可撓性シート４で凹凸位置を合わせて被覆し、この可撓性シート４の面上に、前記操作部材３群に対応する開口７群を形成した押圧プレート５をその開口位置を合わせて嵌め込み、前記ボックス操作面２ａに結合するとともに、操作ボックス２の前板下部１１に前記支持部材９の係合フック１２に着脱自在に係合するスリット１５を有し、さらに、操作ボックス後部側面を前記支持部材９の円弧状案内溝１４に傾斜角度変位可能に係着する着脱可能の固定手段を備えていることを特徴とする作業機用コントローラ装置
【請求項２】
操作ボックス２に取り外し・持ち運び用の把手１８を設けたことを特徴とする請求項１記載の作業機用コントローラ装置
【発明の詳細な説明】
【００１】
【発明の属する技術分野】
本発明は農業機械などの作業機を牽引するトラクタなどの牽引車の運転席に設置される作業機用コントローラ装置に関する。
【００２】
【発明が解決しようとする課題】
トラクタなどの牽引車で牽引して作業を行うヒートハーベスタなどの作業車は装備機構を操作するための専用のコントローラ装置を有している。この作業機用のコントローラ装置は牽引車のオペレータルームに設置され、牽引車の運転席で後方作業機を遠隔操作するようになっている。
【００３】
トラクタのオペレータルームは乗り降りや後方確認などのために解放されており、風雨が吹き込む状態で使用されるため、コントローラ装置も雨や風塵にさらされることが多い。
この種のコントローラ装置は、ボックスの操作面に作業機の各種機構を操作するためのスイッチやレバー等の操作部材を備えているため、風雨にさらされると水や塵が侵入して故障の原因になり、また、耐用年数が短くなる。
【００４】
従って、本発明の目的は、雨や風にさらされても支障がなく、また、作業機の取り替えに対応して、使用する操作ボックスを支持部材に着脱できるコントローラ装置を提供することにある。
【００５】
【課題を解決するための手段】
上記の目的を達成するために、本発明の作業機用コントローラ装置は、牽引車の運転席に設置され、牽引車に牽引される作業機を遠隔操作する操作ボックスと、運転席の操作盤に固定され、前記操作ボックスを支持する支持部材からなる作業機用コントローラ装置であって、前記支持部材はプレートの前側縁辺に係合フックを形成するとともに、後部の左右両側に一体に立ち上げた支持プレートに前記係合フックを支点とする角度変位固定用の円弧状案内溝を形成してなり、前記操作ボックスは複数の操作部材を露出させた操作面を、これら操作部材群の凹凸に対応する凹凸面を一体に有する可撓性シートで凹凸位置を合わせて被覆し、この可撓性シートの面上に、前記操作部材群に対応する開口群を形成した押圧プレートをその開口位置を合わせて嵌め込み、前記ボックス操作面に結合するとともに、操作ボックスの前板下部に前記支持部材の係合フックに着脱自在に係合するスリットを有し、さらに、操作ボックス後部側面を前記支持部材の円弧状案内溝に傾斜角度変位可能に係着する着脱可能の固定手段を備えていることを特徴とする。
【００６】
【発明の実施の形態】
以下に、本発明の実施例を添付の図面に基づいて説明する。
図１に示すように、コントローラ装置１は作業機の各種装備機構の制御機器を内蔵したボックス２を有し、このボックス２の操作面２ａに、内部の制御機器を操作して作業機の装備機構を遠隔操作するスイッチやレバーなどの操作部材３群が装備されている。
【００７】
これらの操作部材３群はボックスの内側から外部に露出しているため、風雨にさらされると水や塵が取付周囲の隙間から侵入し、内部の制御機器に悪い影響を与える。
そこで、本発明は、操作部材３群を露出させたボックス２の操作面２ａ上を防水防塵用の可撓性シート４で被覆し、その上から押圧プレート５を押し当ててボックス２の操作面２ａに固定するようになっている。
【００８】
可撓性シート４は、防水防塵の目的で操作部材３群を含むボックス操作面２ａを覆うためのもので、軟らかく弾性のあるゴム、合成ゴム、プラスチックなどの可撓性の材質からなり、前記操作部材３群の凹凸に対応する凹凸面６群を一体に形成し、シート４の凹凸面６群を操作部材３群の凹凸にそれぞれ対応して嵌め込むようになっている。
【００９】
押圧プレート５は、金属板、プラスチック板など好ましくは硬質の板材からなり、可撓性シート４の凹凸面６群に対応する位置に、これら各々の凹凸面６を通す開口７群が形成されている。
【０１０】
かくして、本発明のコントローラ装置１は、図２のように、可撓性シート４の各凹凸面６に、これに対応するボックス２の各操作部材３を嵌合してボックス２の操作面２ａ上を可撓性シート４で覆い、しかる後、押圧プレート５の各開口７にこれと対応するシート４の各凹凸面６を通してボックス２と可撓性シート４と押圧プレート５を一体に結合してなるものである。
【０１１】
図の実施例はボックス２、可撓性シート４、押圧プレート５を重ね合わせてねじボルト８で結合しているが、結合手段はこれに限らず、ばねによる締付けなど他の方法を用いてもよい。
【０１２】
また、図の実施例のコントローラ装置１はトラクタ運転席前方の設置スペースに着脱自在に取付け、トラクタに牽引される作業機を取替えるときに専用コントローラ装置を一緒に取替えできるようにするとともに、コントローラ装置のボックス２を運転席前方の操作盤に前方へ向けて上方傾斜させて取付けることができるようにしてある。
【０１３】
図の実施例のコントローラ装置１は運転席の操作盤上に固定される支持部材９を介して取付けられている。
すなわち、支持部材９の前側縁辺１０とコントローラ装置１のボックス２の前板下部１１を着脱可能な回動手段で連結するとともに、回動させたボックス２を任意の角度で支持部材９に位置固定できるようにしてある。
【０１４】
このため、支持部材９の前側縁辺１０に係合フック１２を形成するとともに、支持部材９の左右に支持プレート１３を垂直に設け、この支持プレート１３に前記係合フック１２を中心とする半径に沿った円弧状の案内溝１４を形成してある。
【０１５】
他方、ボックス２の前板下部１１に支持部材９の前記係合フック１２に係合するスリット１５を形成するとともに、支持部材９の案内溝１４に対応するボックス２の左右側面位置にねじ孔１６を形成し、支持プレート１３の外側から案内溝１４を通した止めねじ１７をボックス２の前記ねじ孔１６に締付けてボックス２を支持プレート１３に固定するようになっている。
【０１６】
かくして、ボックス２のスリット１５を支持部材９の係合爪１２に引掛けることにより、ボックス２の前板下部１１を支持部材９に対して回動可能に、且つ、着脱可能に係着されるとともに、止めねじ１７を任意の位置で締付けることにより、ボックス２の傾斜角度を案内溝１４が許容する任意の角度に設定することができる。
【０１７】
なお、図中、符号１８で示す部材はコントローラ装置を１を取り外して持ち運ぶ際の把手である。
【０１８】
【効果】
本発明はコントロール装置の操作面の操作部材を含む前面が防水防塵シートで被覆されているので操作部材の取付け部周辺から雨水や塵埃が浸入しない
【０１９】
可撓性シートは操作部材の凹凸に対応する凹凸面で操作部材を密接に覆い、その上面を押圧プレートで押さえているので操作部材の手ざわりが安定し、使い勝手がよくなる。
【図面の簡単な説明】
【図１】本発明によるコントローラ装置の構成部材説明図
【図２】本発明によるコントローラ装置の組付け構成図
【図３】本発明によるコントローラ装置の取付け説明図
【図４】図２の側面図
【符号の説明】
１…コントローラ装置
２…ボックス
２ａ…操作面
３…操作部材
４…シート
５…押圧プレート
６…凹凸面
７…開口
８…ねじボルト
９…支持部材
１０…前側縁辺
１１…前板下部
１２…係合フック
１３…支持プレート
１４…案内溝
１５…スリット
１６…ねじ孔
１７…止めねじ
１８…把手
【整理番号】ＰＡＳ００２―００４
【図１】
0003709171.tif 000002
【図２】
0003709171.tif 000003
【図３】
0003709171.tif 000004
【図４】
0003709171.tif 000005